【事件の表示】
　特願２０００−　　４７３７号「陳列棚」拒絶査定不服審判事件〔平成１３年　７月１７日出願公開、特開２００１−１９０３７５号〕について、次のとおり審決する。
【結　論】
　本件審判の請求は、成り立たない。
【理　由】
Ｉ．手続の経緯
　本願は、平成１２年１月１３日の出願であって、平成１７年２月８日付けでなされた拒絶査定に対し、同年３月１７日に拒絶査定不服審判が請求されるとともに、同年４月１４日付けで手続補正がなされたものである。
　
II．平成１７年４月１４日付けの手続補正についての補正却下の決定
［補正却下の決定の結論］
　平成１７年４月１４日付けの手続補正（以下「本件補正」という）を却下する。
　
［理由］
１．補正後の本願発明
　本件補正により、特許請求の範囲の請求項１は、次のように補正された。
「平板状に形成された吊り下げ用背板部と、この吊り下げ用背板部に着脱自在に取り付けられる上下２段の陳列用棚部とを備え、上段の陳列用棚部より下側の上記吊り下げ用背板部の部分を折り曲げ自在な載置用底板部に形成し、この載置用底板部に下段の陳列用棚部を吊り下げ、上記吊り下げ用背板部を被吊り下げ体に吊り下げる吊り下げ態様と、上記載置用底板部を折り曲げた状態で被載置面に載置する載置態様とのいずれかの態様を選択しうるように構成し、上記載置態様で、下段の陳列用棚部を載置用底板部から取り外して載置用底板部上に上段の陳列用棚部の支え部材として載置するようにし、上記両陳列用棚部が、化粧料容器の胴部を挿通する化粧料容器挿通用穴部が穿設された前面傾斜板部と、この前面傾斜板部の一側端面に一連に連結される底板部と、上記前面傾斜板部の他側端面に一連に連結される後面背板部とで構成され、この後面背板部の、上記前面傾斜板部の他側端面に対向する端面に突設されたのり代部が上記底板部に沿うようにして折り曲げられて、上記のり代部の下面が底板部の上面に接着され、上記前面傾斜板部の下端縁部に舌片挿通用穴部が穿設され、この舌片挿通用穴部に対応する上記後面背板部の上端部の部分に略Ｕ字状の切り目が形成され、この切り目で囲まれる部分で、上記舌片挿通用穴部に挿通しうる舌片が構成され、この舌片が後方に向かって折り曲げ自在に形成され、上記載置態様では、下段の陳列用棚部の舌片が上段の陳列用棚部の舌片挿通用穴部に挿通されていることを特徴とする陳列棚。」
　
２．補正の目的
　本件補正は、本件補正前の、平成１６年１２月１３日付けの手続補正書による、特許請求の範囲の請求項１に記載した、発明を特定するために必要な事項である、「底板部」について、「前面傾斜坂部
の一側端面
の他側端面
の、上記前面傾斜板部の他側端面に対向する端面に突設されたのり代部が上記底板部に沿うようにして折り曲げられて、上記のり代部の下面が
の上面に
上記載置態様では、下段の陳列用棚部の舌片が上段の陳列用棚部の舌片挿通用穴部に挿通され
　
３．独立特許要件
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
３−１．引用例の記載事項
　原査定の拒絶の理由に引用された、実願平２−２７３６号（実開平３−９４１５６号）のマイクロフィルム（以下、「引用例」という。）には、図面と共に次の事項が記載されている。
　
ａ．「折畳可能なバックボードブランク板と２個のポケットとよりなり、２個のポケットをバックボードブランク板の所定位置に取付け、かつ一方のポケットに嵌入片を突設し、更に他方のポケット及びバックボードブランク板の所定位置に該嵌入片が嵌着し得る嵌入穴を穿設して構成したことを特徴とした販売台。」（実用新案登録請求の範囲）
ｂ．「＜産業上の利用分野＞
　本考案は商品を収納して販売することが出来る販売台に係り特に吊下げたり又は卓上に起立したり、或は折畳んでコンパクトに形成することが出来る販売台に関するものである。」（明細書１頁１３〜１７行）
ｃ．「本考案に係る販売台に於ては、上述の如く折畳み可能なバックボードブランク板の所定位置に２個のポケットを取付けたので、このバックボードブランク板を吊下げたり、或はこのバックボードブランク板を折曲げることによって、販売台を吊下式販売台として使用したり、或は卓上起立式販売台として使用することが出来る。」（明細書３頁４〜１０行）
ｄ．「先ず第２図に於て、Ａはバックボードブランク板であって、横折線を介して上方から吊下広告板１、第１背板２、連結板３、第２背板４及び貼着片５が順に連設されている。吊下広告板１の上部には２個の吊穴６が穿設され、かつ連結板３と第２背板４との境界部には２個の嵌入穴７が穿設され、更に吊下広告板１の下部、第１背板２及び連結板３の両側部には夫々縦折線８が設けられている。
　次にＢは第１ポケットブランク板であって、縦折線を介して左方から貼着片９、後板１０、側板１１、上方が巾広く切除された前板１２及び側板１３が順に連設され、かつ前後板１２、１０の下端には夫々底板１４が連設され、側板１１、１３の下端には舌片１５が連設され、更に前板１２と底板１４との境界部には２個の嵌入穴１６が穿設されている。
　Ｃは第２ポケットブランク板であって、前記第１ポケットブランク板Ｂと同様に折線を介して、貼着片１７、後板１８、側板１９、前板２０、側板２１、底板２２、舌片２３を夫々連設することによって構成している。またこの第２ポケットブランク板Ｃの後板１８の上端には前記嵌入穴７、１６に夫々嵌入係止し得る２個の嵌入片２４が突設されている。」（明細書４頁３行〜５頁５行）
ｅ．「本考案に係る販売台の組立構成に当っては、第３図及び第１図（Ｂ）に示す如く、第１、第２ポケットブランク板Ｂ、Ｃを夫々折畳んで箱状の第１、第２ポケットＢ１、Ｃ１を形成する。次にバックボードブランク板Ａを垂直に起立し、第１ポケットＢ１の後板１０を……第１背板２に貼着して第１ポケットＢ１をバックボードブランク板Ａに取付固定する。続いて第２ポケットＣ１の後板１８を第２背板４に当接した後、貼着片５を第２ポケットＣ１の底板２２に貼着し、かつ嵌入片２４を嵌入穴７に嵌着し、第２ポケットＣ１をバックボードブランク板Ａの下部に取付固定する。また吊下広告板１の吊穴６に吊紐２５を通して吊下げられるように構成する。」（明細書５頁６〜１９行）
ｆ．「このように組立構成された販売台は第１図（Ｂ）に示す如く、そのまま吊下式の販売台として使用することが出来、上下の第１、第２ポケットＢ１、Ｃ１に商品（図示せず）を収納して展示販売することが出来る。」（明細書５頁２０行〜６頁４行）
ｇ．「この販売台を卓上式として使用する場合には第４図及び第１図（Ａ）に示す如く構成することが可能である。
　即ち、販売台を卓上式に使用する場合には、バックボードブランク板Ａを直行に折曲げて第２背板４と連結板３を水平に保ち、かつ第２ポケットＣ１の嵌合片２４を第１ポケットＢ１の嵌合穴１６に嵌着し、更にバックボードブランク板Ａの縦折線８の外側部分を後方に直角に折込むことによって、特に第１図（Ａ）に示す如き段々状の販売台を構成することが出来る。」（明細書６頁６〜１６行）
ｈ．「従って、一種類の販売台を用意することによって、商品を販売する場所に対応して、吊下式として使用したり、或は卓上式として使用することがいずれも可能である。」（明細書７頁１３〜１６行）
　
　なお、嵌合片２４は、嵌入片２４という用語、また、嵌合穴７，１６は、嵌入片７，１６という用語も使われているが、嵌合片２４、嵌合穴７，１６と統一した。
　
　第１〜３図には、平板状に形成された、吊下広告板１、第１背板２、連結板３及び第２背板４からなる、バックボードブランク板Ａと、バックボードブランク板Ａに取付固定する上下２段の第１，第２ポケットＢ１，Ｃ１を備え、上段の第１ポケットＢ１より下側の横折線で第２背板４を折り曲げ自在な卓上用に使用できる板体に形成し、卓上用の第２背板４に第２ポケットＣ１の後板１８の上端に突設された嵌合片２４を横折線上の嵌合穴７に嵌着して、下段の第２ポケットＣ１を着脱自在としていることが図示されている。
　
　また、第１〜３図には、両ポケットＢ１、Ｃ１は商品を配列する空間が上方に空いた箱状のポケットＢ１、Ｃ１であって、前板と、前板に連結される底板と、前板から側板を介して連結される後板とで構成され、第１ポケットＢ１の前板の下端縁部に嵌合片２４に対応する嵌合穴１６が穿設され、第２ポケットＣ１の後板の上端に突設された嵌合片２４が後方に向かって折り曲げ自在に形成されていることが図示されている。
　
　さらに、第１〜３図には、吊下広告板１、第１背板２、連結板３及び第２背板４からなる、バックボードブランク板Ａを吊紐により吊下げる吊下式使用態様と、第２背板４を折り曲げた状態で台に載置する卓上式使用態様とのいずれかの態様を選択できるように構成していることが図示されている。
　
　そして、第１〜３図には、卓上式使用態様では、下段の第２ポケットＣ１を第２背板４から取り外して第２背板４上に上段の第１ポケットＢ１の支え部材として載置するようにし、第２ポケットＣ１の後板１８の上端に突設された嵌合片２４は後方に向かって折り曲げ自在に形成され、卓上式使用態様では下段の第２ポケットＣ１の嵌合片２４が上段の第１ポケットＢ１の嵌合穴１６に嵌入係止されていることが図示されている。
　
　これら記載事項を総合すると、引用例には、次の発明（以下、「引用発明」という。）が、記載されている。
　
「平板状に形成された、吊下広告板１、第１背板２、連結板３及び第２背板４からなる、バックボードブランク板Ａと、バックボードブランク板Ａに取付固定する上下２段のポケットＢ１、Ｃ１とを備え、上段の第１ポケットＢ１より下側の横折線で第２背板４を折り曲げ自在な卓上用に使用できる板体に形成し、第２背板４に第２ポケットＣ１の後板１８の上端に突設された嵌合片２４を横折線上の嵌合穴７に嵌着して、下段の第２ポケットＣ１を着脱自在とし、吊下広告板１、第１背板２、連結板３及び第２背板４からなる、バックボードブランク板Ａを吊紐により吊下げる吊下式使用態様と、第２背板４を折り曲げた状態で台に載置する卓上式使用態様とのいずれかの態様を選択できるように構成し、卓上式使用態様で、下段の第２ポケットＣ１を第２背板４から取り外して第２背板４上に上段の第１ポケットＢ１の支え部材として載置するようにし、
両ポケットは商品を配列する空間が上方に空いた箱状のポケットＢ１、Ｃ１であって、前板と、前板に連結される底板と、前板から側板を介して連結される後板とで構成され、
第１ポケットＢ１の前板１２の下端縁部に嵌合片２４に対応する嵌合穴１６が穿設され、第２ポケットＣ１の後板１８の上端に突設された嵌合片２４は後方に向かって折り曲げ自在に形成され、卓上式使用態様では下段の第２ポケットＣ１の嵌合片２４が上段の第１ポケットＢ１の嵌合穴１６に嵌着係止されている販売台。」
　
３−２．対比
　そこで、本願補正発明と引用発明とを対比すると、後者の「平板状に形成された、吊下広告板１、第１背板２、連結板３及び第２背板４からなる、バックボードブランク板Ａ」、「販売台」は、その機能、構成からみて、前者の「平板状に形成された吊り下げ用背板部」、「陳列棚」に相当する。
　
　後者の「ポケット」と前者の「陳列用棚部」とは、商品を販売するために収納する「収納部」である点で共通する。そして、後者の「両ポケットは商品を配列する空間が上方に空いた箱状のポケットＢ１、Ｃ１であって、前板と、前板に連結される底板と、前板から側板を介して連結される後板とで構成され、」と、前者の「両陳列用棚部が、化粧料容器の胴部を挿通する化粧料容器挿通用穴部が穿設された前面傾斜板部と、この前面傾斜板部の一側端面に一連に連結される底板部と、上記前面傾斜板部の他側端面に一連に連結される後面背板部とで構成され、」とは、「収納部は商品を配列する空間が上方に空いた収納部であって、前板と、前板に連結される底板と、前板に連結される後板とで構成され、」の点で共通する。
　
　後者の「第２背板４」は、「上段の第１ポケットＢ１より下側の横折線で第２背板４を折り曲げ自在な卓上用に使用できる板体に形成」しているから、その機能、構成からみて、前者の「載置用底板部」に相当する。
　よって、後者の「上段の第１ポケットＢ１より下側の横折線で第２背板４を折り曲げ自在な卓上用に使用できる板体に形成し」と、前者の「上段の陳列用棚部より下側の上記吊り下げ用背板部の部分を折り曲げ自在な載置用底板部に形成し」とは、「上段の収納部より下側の上記吊り下げ用背板部の部分を折り曲げ自在な載置用底板部に形成し」の点で共通する。
　
　後者の「嵌合片２４」は、その機能、構成からみて、前者の「舌片」に相当する。
　
　後者の「第２背板４に第２ポケットＣ１の後板１８の上端に突設された嵌合片２４を横折線上の嵌合穴７に嵌着して、下段の第２ポケットＣ１を着脱自在とし」から、後者の下段の第２ポケットＣ１は着脱自在であって、後者、前者共に下段の収納部は着脱自在に取付けられていることから、後者の「第２背板４に第２ポケットＣ１の後板１８の上端に突設された嵌合片２４を横折線上の嵌合穴７に嵌着して、下段の第２ポケットＣ１を着脱自在とし」と、前者の「この載置用底板部に下段の陳列用棚部を吊り下げ」とは、「載置用底板部に下段の収納部を着脱自在に取り付け」の点で共通する。
　
　前者の「吊り下げ用背板部を被吊り下げ体に吊り下げる吊り下げ態様」については、実施例では、段落【００１４】に、「吊り下げ用背板部１の両吊り下げ用穴部１ａに紐等（図示せず）を架設し、陳列棚（被吊り下げ体）のフック等（図示せず）に吊り下げる。」と記載され、前者は「吊り下げ用背板部」を紐等により吊り下げる内容を含んでいる。一方、後者は「吊下広告板１、第１背板２、連結板３及び第２背板４からなる、バックボードブランク板Ａを吊紐により吊下げる吊下式使用態様」であるから、後者の「吊下広告板１、第１背板２、連結板３及び第２背板４からなる、バックボードブランク板Ａを吊紐により吊下げる吊下式使用態様」は、前者の「吊り下げ用背板部を被吊り下げ体に吊り下げる吊り下げ態様」に相当する。
　
　後者の「第２背板４を折り曲げた状態で台に載置する卓上式使用態様」は、その機能、構成からみて、前者の「載置用底板部を折り曲げた状態で被載置面に載置する載置態様」に相当する。
　すると、後者の「吊下広告板１、第１背板２、連結板３及び第２背板４からなる、バックボードブランク板Ａを吊紐により吊下げる吊下式使用態様と、第２背板４を折り曲げた状態で台に載置する卓上式使用態様とのいずれかの態様を選択できるように構成し」は、前者の「上記吊り下げ用背板部を被吊り下げ体に吊り下げる吊り下げ態様と、上記載置用底板部を折り曲げた状態で被載置面に載置する載置態様とのいずれかの態様を選択しうるように構成し」に相当する。
　
　後者の「卓上式使用態様で、下段の第２ポケットＣ１を第２背板４から取り外して第２背板４上に上段の第１ポケットＢ１の支え部材として載置するようにし」は、その機能、構成からみて、前者の「上記載置態様で、下段の陳列用棚部を載置用底板部から取り外して載置用底板部上に上段の陳列用棚部の支え部材として載置するようにし」とは、「上記載置態様で、下段の収納部を載置用底板部から取り外して載置用底板部上に上段の収納部の支え部材として載置するようにし」の点で共通する。
  　
　後者の「第１ポケットＢ１ の前板の下端縁部に嵌合片２４に対応する嵌合穴１６が穿設され、第２ポケットＣ１の後板１８の上端に突設された嵌合片２４は後方に向かって折り曲げ自在に形成され、卓上式使用態様では下段の第２ポケットＣ１の嵌合片２４が上段の第１ポケットＢ１の嵌合穴１６に嵌入係止されている」と、前者の「上記前面傾斜板部の下端縁部に舌片挿通用穴部が穿設され、」「この舌片が後方に向かって折り曲げ自在に形成され、上記載置態様では、下段の陳列用棚部の舌片が上段の陳列用棚部の舌片挿通用穴部に挿通されている」とは、「上段の収納部の下端縁部に舌片挿通用穴部が穿設され、下段の収納部の舌片が後方に向かって折り曲げ自在に形成され、載置態様では、下段の収納部の舌片が上段の収納部の舌片挿通用穴部に挿通されている」点で共通である。
  　
　そうすると、両者は、本願発明の用語を用いて表現すると、
「平板状に形成された吊り下げ用背板部と、
吊り下げ用背板部に取り付けられる上下２段の収納部とを備え、
　上段の収納部より下側の上記吊り下げ用背板部の部分を折り曲げ自在な載置用底板部に形成し、
　載置用底板部に下段の収納部を着脱自在に取り付け、
　上記吊り下げ用背板部を被吊り下げ体に吊り下げる吊り下げ態様と、
　上記載置用底板部を折り曲げた状態で被載置面に載置する載置態様とのいずれかの態様を選択しうるように構成し、
　上記載置態様で、下段の収納部を載置用底板部から取り外して載置用底板部上に上段の収納部の支え部材として載置するようにし、
　収納部は商品を配列する空間が上方に空いた収納部であって、
　前板と、前板に連結される底板と、前板に連結される後板とで構成され、
　上段の収納部の下端縁部に舌片に対応する舌片挿通用穴部が穿設され、
　下段の収納部に舌片が後方に向かって折り曲げ自在に形成され、
　載置態様では、下段の収納部の舌片が上段の収納部の舌片挿通用穴部に挿通されている陳列棚。」
　である点で一致し、次の点で相違する。
　
＜相違点１＞
　吊り下げ用背板部に取り付けられる上下２段の収納部について、前者では、２段とも着脱自在であるのに対し、後者は、下段の収納部のみが着脱自在である点。
　
＜相違点２＞
　載置用底板部に下段の収納部を着脱自在に取り付ける点について、前者では、この載置用底板部に下段の収納部を吊り下げているのに対し、後者は第２背板４に第２ポケットＣ１の後板１８の上端に突設された嵌合片２４を横折線上の嵌合穴７に嵌着している点。
　
＜相違点３＞
　収納部に関して、前者では陳列用棚部であるのに対して、後者ではポケットである点。
　
＜相違点４＞
　前者の収納部が、化粧料容器の胴部を挿通する化粧料容器挿通用穴部が穿設された前面傾斜板部と、この前面傾斜板部の一側端面に一連に連結される底板部と、上記前面傾斜板部の他側端面に一連に連結される後面背板部とで構成され、この後面背板部の、上記前面傾斜板部の他側端面に対向する端面に突設されたのり代部が上記底板部に沿うようにして折り曲げられて、上記のり代部の下面が底板部の上面に接着され、上記前面傾斜板部の下端縁部に舌片挿通用穴部が穿設され、この舌片挿通用穴部に対応する上記後面背板部の上端部の部分に略Ｕ字状の切り目が形成され、この切り目で囲まれる部分で、上記舌片挿通用穴部に挿通しうる舌片が構成されているのに対し、
後者の収納部は、ポケットは商品を配列する空間が上方に空いた箱状のポケットＢ１、Ｃ１であって、前板と、前板に連結される底板と、前板から側板を介して連結される後板とで構成され、第１ポケットＢ１の前板の下端縁部に嵌合片２４に対応する嵌合穴１６が穿設され、第２ポケットＣ１の後板１８の上端に嵌合片２４が突設されている点。
　
＜相違点５＞
　舌片に関して、前者では、前面傾斜板部の下端縁部に舌片挿通用穴部が穿設され、この舌片挿通用穴部に対応する上記後面背板部の上端部の部分に略Ｕ字状の切り目が形成され、この切り目で囲まれる部分で、上記舌片挿通用穴部に挿通しうる舌片が構成されているのに対し、後者では、嵌合片２４が第２ポケットＣ１の後板１８の上端に突設されている点。
　
３−３．判断
　上記相違点について、検討する。
　
　＜相違点１について＞
　吊り下げ用背板部に取り付けられる上下２段の収納部について、収納部を吊り下げ用背板部に取付分解し易くするために、後者において、下段の収納部に加えて上段の収納部も着脱自在にすることは、当業者であれば適宜なし得ることである。
　
　＜相違点２について＞
　載置用底板部に下段の収納部を着脱自在に取り付ける点について、後者において、下段の収納部を吊り下げるようにすることは、当業者であれば必要に応じて適宜なし得ることである。
　
　＜相違点３について＞
　収納部に関して、後者のポケットは商品を陳列するために、上方に空間が空いたものであり、それを前者のように陳列用棚部となすことは当業者が適宜なし得ることである。
　
　＜相違点４について＞
　収納部を、化粧料容器の胴部を挿通する化粧料容器挿通用穴部が穿設された前面傾斜板部と、この前面傾斜板部の一側端面に一連に連結される底板部と、上記前面傾斜板部の他側端面に一連に連結される後面背板部とで構成することは、本願出願前周知の技術（例えば、実公昭４７−２２２３２号公報（第２、３図）、特開平１１−２９０１７２号公報（【図１】、【図３】）参照）であり、周知技術を考慮すれば、後者の「前板と、前板に連結される底板と、前板に連結される後板とで構成される」収納部（ポケット）を、化粧料容器の胴部を挿通する化粧料容器挿通用穴部が穿設された前面傾斜板部と、この前面傾斜板部の一側端面に一連に連結される底板部と、上記前面傾斜板部の他側端面に一連に連結される後面背板部とで構成することは当業者が容易になし得ることである。
　また、収納部を、化粧料容器の胴部を挿通する化粧料容器挿通用穴部を穿設された前面傾斜板部とする際に、のり代部を突設して形成することは、接着する時によく行われる周知技術であるから、この後面背板部の、上記前面傾斜板部の他側端面に対向する端面に突設されたのり代部が上記底板部に沿うようにして折り曲げられて、上記のり代部の下面を底板部の上面に接着することは当業者が適宜なし得ることである。
　
＜相違点５について＞
　舌片を形成するのに、略Ｕ字状の切り目が形成され、切り目で囲まれる部分で、舌片挿通用穴部に挿通しうる舌片を構成することは本願出願前周知の技術（例えば、実公昭４７−２２２３２号公報（第１，２図）参照）であり、周知技術を考慮すれば、後者において、舌片（嵌合片）を形成するのに、舌片挿通用穴部に対応する後板の上端部の部分に略Ｕ字状の切り目を形成し、この切り目で囲まれる部分で、舌片挿通用穴部に挿通しうる舌片を構成することは当業者が容易になし得ることである。
　
　そして、本願発明を全体としてみた効果も、引用発明及び周知の技術から当業者であれば予測できる範囲内のものであって、格別なものとはいえない。
　
　以上のことから、本願補正発明は、引用発明及び周知技術に基いて、当業者が容易に発明をすることができたものであるので、特許法第２９条第２項の規定により、特許出願の際独立して特許を受けることができない。
　
３−４．むすび
　したがって、本件補正は、平成１８年改正前特許法第１７条の２第５項において準用する同法第１２６条第５項の規定に違反するので、特許法第１５９条第１項において準用する同法第５３条第１項の規定により却下すべきものである。
　
III．本願発明
　本件補正は、上記のとおり却下されたので、本願の請求項１に係る発明（以下、同項記載の発明を「本願発明」という。）は、平成１６年１２月１３日付けの手続補正書により補正された明細書の特許請求の範囲の請求項１に記載された事項により特定される、以下のとおりのものである。
「平板状に形成された吊り下げ用背板部と、この吊り下げ用背板部に着脱自在に取り付けられる上下２段の陳列用棚部とを備え、上段の陳列用棚部より下側の上記吊り下げ用背板部の部分を折り曲げ自在な載置用底板部に形成し、この載置用底板部に下段の陳列用棚部を吊り下げ、上記吊り下げ用背板部を被吊り下げ体に吊り下げる吊り下げ態様と、上記載置用底板部を折り曲げた状態で被載置面に載置する載置態様とのいずれかの態様を選択しうるように構成し、上記載置態様で、下段の陳列用棚部を載置用底板部から取り外して載置用底板部上に上段の陳列用棚部の支え部材として載置するようにし、上記両陳列用棚部が、化粧料容器の胴部を挿通する化粧料容器挿通用穴部が穿設された前面傾斜板部と、この前面傾斜板部に一連に連結される底板部と、上記前面傾斜板部に一連に連結される後面背板部とで構成され、この後面背板部を底板部が接着され、上記前面傾斜板部の下端縁部に舌片挿通用穴部が穿設され、この舌片挿通用穴部に対応する上記後面背板部の上端部の部分に略Ｕ字状の切り目が形成され、この切り目で囲まれる部分で、上記舌片挿通用穴部に挿通しうる舌片が構成され、この舌片が後方に向かって折り曲げ自在に形成されていることを特徴とする陳列棚。」
　
IV．引用例の記載事項
　原査定の拒絶の理由に引用された引用例及びその記載事項は、前記II．３−１に記載したとおりである。
　
V．対比、判断
　本願発明は、前記II．１で検討した本願補正発明から、「底板部」についての限定事項である「前面傾斜坂部の一側端面に一連に連結される底板部」との発明特定事項を省いたものである。同じく、「後面背板部」についての限定事項である、「前面傾斜部の他側端面に一連に連結される後面背板部」との発明特定事項を省いたものである。また、同じく、「後面背板部を底板部が接着され」についての限定事項である、「後面背板部の、上記前面傾斜板部の他側端面に対向する端面に突設されたのり代部が上記底板部に沿うようにして折り曲げられて、上記のり代部の下面が底板部の上面に接着され」との発明特手事項を省いたものである。更に「上記載置態様では、下段の陳列用棚部の舌片が上段の陳列用棚部の舌片挿通用穴部に挿通されている」との限定事項を省いたものである。
　そうすると、本願発明の発明特定事項をすべて含み、さらに他の発明特定事項を付加したものに相当する本願補正発明が、前記II．３−３．に記載したとおり、引用発明及び周知技術に基いて当業者が容易に発明をすることができたものであるから、本願発明も、同様に、引用発明及び周知技術に基いて当業者が容易に発明をすることができたものである。
　
VI．むすび
　以上のとおり、本願発明は、引用発明及び周知技術に基いて当業者が容易に発明をすることができたものであるから、特許法第２９条第２項の規定により、特許を受けることができない。
　よって、結論のとおり審決する。